【手続補正書】
【提出日】平成25年7月12日(2013.7.12)
【手続補正１】
【補正対象書類名】特許請求の範囲
【補正対象項目名】全文
【補正方法】変更
【補正の内容】
【特許請求の範囲】
【請求項１】
呼吸用マスクのための、エルボーを備えたエルボーアセンブリであって、
前記エルボーが、
ａ）ガス供給導管の表面に対して係合し得るよう構成された表面を有した第１端部部分と；
ｂ）前記呼吸用マスクに対して付設された第２端部部分と；
を具備し、
前記エルボーが、さらに、
ｉ）前記マスクによって形成された鼻用呼吸キャビティに対して第１方向に流入ガスを供給する導入ポートと、
ｉｉ）少なくとも１つのバッフルによって前記導入ポートから隔離された導出ポートと、
を形成し、
前記バッフルが、前記流入ガスを前記鼻用呼吸キャビティ内へと向けさせ、
前記バッフルが、前記鼻用呼吸キャビティから前記導出ポートを通してベント穴へと実質的に直線的に前記排出ガスを案内し得るよう構成され、
前記バッフルが、前記第２端部部分を超えて延在していることを特徴とするエルボーアセンブリ。
【請求項２】
請求項１記載のエルボーアセンブリにおいて、
前記少なくとも１つのバッフルが、互いに交差して配置された第１バッフルおよび第２バッフルを備えていることを特徴とするエルボーアセンブリ。
【請求項３】
請求項１または２記載のエルボーアセンブリにおいて、
前記バッフルが、前記エルボー内において、前記エルボーの頂部から前記エルボーの底部にわたって延在する中心線回りに、配置され、
前記バッフルの底部が、前記エルボーの前記底部と位置合わせされていることを特徴とするエルボーアセンブリ。
【請求項４】
請求項１〜３のいずれか１項に記載のエルボーアセンブリにおいて、
前記導出ポートが、前記導入ポートによって完全に囲まれていることを特徴とするエルボーアセンブリ。
【請求項５】
請求項１〜４のいずれか１項に記載のエルボーアセンブリにおいて、
前記バッフルが、実質的に円形とされていることを特徴とするエルボーアセンブリ。
【請求項６】
請求項１〜５のいずれか１項に記載のエルボーアセンブリにおいて、
前記バッフルが、前記エルボー内において、前記エルボーの右側から前記エルボーの左側にわたって延在する中心線回りに、配置されていることを特徴とするエルボーアセンブリ。
【請求項７】
請求項１〜６のいずれか１項に記載のエルボーアセンブリにおいて、
前記バッフルが、さらに、前記マスクの呼吸用キャビティ内に突出し得るよう構成された突起を備えていることを特徴とするエルボーアセンブリ。
【請求項８】
請求項１〜７のいずれか１項に記載のエルボーアセンブリにおいて、
前記エルボーの前記第２端部部分が、さらに、
ｉｉｉ）弾性カラー
を備え、
この弾性カラーが、係合部分を実質的に取り囲むものとされ、なおかつ、前記カラーと前記係合部分との間に受領スペースを形成し、
前記カラーが、前記マスク上に形成されたフランジを前記受領スペース内へと挿入する際には、外向きに撓み得るものとされ、
これにより、前記第２端部部分が、動作位置とされ、この時点で、前記カラーは、当該カラー自身の弾性によって内向きに復帰し、
これにより、前記カラーに対して前記フランジがロックされ、
これにより、前記マスクに対して前記エルボーを着脱可能に連結することができることを特徴とするエルボーアセンブリ。
【請求項９】
請求項８記載のエルボーアセンブリにおいて、
前記係合部分が、前記カラーを超えて延在し、これにより、前記マスクに対しての前記エルボーの前記第２端部部分の位置合わせが容易なものとされていることを特徴とするエルボーアセンブリ。
【請求項１０】
請求項８または９記載のエルボーアセンブリにおいて、
前記エルボーが、さらに、前記カラーの両サイドに解除部分を備え、
これら解除部分は、互いに向けて撓むことによって、前記カラーを外向きに移動させることができ、これにより、前記フランジを前記受領スペースから引き抜くことを可能とし、前記マスクに対して前記エルボーを着脱可能に連結することを可能としていることを特徴とするエルボーアセンブリ。
【請求項１１】
請求項１〜１０のいずれか１項に記載のエルボーアセンブリにおいて、
前記エルボーアセンブリが、さらに、
ｃ）着脱可能なベント穴カバー、
を具備し、
このベント穴カバーが、前記エルボーに対して着脱可能に連結され、
前記ベント穴カバーが、本体と、ガス排出のための少なくとも１つのベント穴と、から構成されていることを特徴とするエルボーアセンブリ。
【請求項１２】
請求項１１記載のエルボーアセンブリにおいて、
前記ベント穴カバーが、弾性材料から形成されていることを特徴とするエルボーアセンブリ。
【請求項１３】
請求項１〜１２のいずれか１項に記載のエルボーアセンブリにおいて、
前記少なくとも１つのバッフルが、Ｍ字形状、あるいは、Ｖ字形状、あるいは、Ｃ字形状、のものとされていることを特徴とするエルボーアセンブリ。
【請求項１４】
請求項１〜１２のいずれか１項に記載のエルボーアセンブリにおいて、
前記導出ポートが、前記第２方向に沿って、断面積が大きくなるものとされていることを特徴とするエルボーアセンブリ。
【請求項１５】
呼吸用マスクアセンブリであって、
ａ）少なくとも１つの開口を有したマスクフレームと；
ｂ）クッションと；
ｃ）請求項１〜１４のいずれか１項に記載されたエルボーアセンブリと；
を具備していることを特徴とするマスクアセンブリ。
【請求項１６】
請求項１５記載のマスクアセンブリにおいて、
前記開口の直径が、２０ｍｍ〜４０ｍｍの間とされている、好ましくは２５ｍｍ〜３０ｍｍの間とされている、より好ましくは２８ｍｍとされている、ことを特徴とするマスクアセンブリ。
【請求項１７】
請求項１５または１６記載のマスクアセンブリにおいて、
前記開口が、全体的に円形形状を有していることを特徴とするマスクアセンブリ。
【請求項１８】
請求項１６または１７記載のマスクアセンブリにおいて、
前記開口が、さらに、リングを備えていることを特徴とするマスクアセンブリ。
【請求項１９】
請求項１８記載のマスクアセンブリにおいて、
前記リングが、さらに、内側リングを有していることを特徴とするマスクアセンブリ。
【請求項２０】
請求項１９記載のマスクアセンブリにおいて、
前記内側リングが、少なくとも１つのコネクタによって前記開口の内径に対して連結されていることを特徴とするマスクアセンブリ。
【請求項２１】
請求項２０記載のマスクアセンブリにおいて、
前記少なくとも１つのコネクタが、前記エルボーに対して係合し得るよう構成された少なくとも１つのノッチを有していることを特徴とするマスクアセンブリ。
【請求項２２】
請求項１９記載のマスクアセンブリにおいて、
前記リングが、さらに、前記内側リングを取り囲む外側リングを有していることを特徴とするマスクアセンブリ。
【請求項２３】
請求項２２記載のマスクアセンブリにおいて、
前記外側リングの直径が、２０ｍｍ〜４０ｍｍの間とされている、好ましくは２５ｍｍ〜３０ｍｍの間とされている、より好ましくは２４ｍｍとされている、ことを特徴とするマスクアセンブリ。
【請求項２４】
請求項１９記載のマスクアセンブリにおいて、
前記内側リングが、キャビティを形成していることを特徴とするマスクアセンブリ。
【請求項２５】
請求項２４記載のマスクアセンブリにおいて、
前記キャビティの直径が、４ｍｍ〜１２ｍｍの間とされていることを特徴とするマスクアセンブリ。
【請求項２６】
請求項２５記載のマスクアセンブリにおいて、
前記キャビティの直径が、６ｍｍ〜１０ｍｍの間とされている、好ましくは８ｍｍとされている、ことを特徴とするマスクアセンブリ。
【請求項２７】
請求項１５〜２６のいずれか１項に記載のマスクアセンブリにおいて、
前記クッションが、使用者の鼻を囲むキャビティを形成し得るよう、前記マスクフレーム内に挿入され得るよう構成されていることを特徴とするマスクアセンブリ。